(57)【要約】 【課題】被包装物への衝撃の伝達を防止でき、かつ、意匠性の高い包装容器を提供すること。【解決手段】包装容器１は、側面部１３〜１６で形成される空間を跨ぐように配置された内面部１７を有する。内面部１７の中心部には、複数の切り込み部が形成されている。この切り込み部は、同心円状の環状線に沿って形成される。前記環状線上の対向する２箇所には、切り込み部が形成されておらず、非切り込み部１７３となっている。支持部１８は、切り込み部により構成されるものであり、同心円状の複数のリング１８１と、このリング１８１の中心に配置された支持面１８２とを備える。リング１８１は被包装物Ｓの周囲を囲むとともに、支持面１８２は、被包装物Ｓの上面を押さえ、被包装物Ｓを底面部１１とともに、被包装物Ｓを支持固定する。【選択図】 図１
2006069628.tif 000002
【特許請求の範囲】
【請求項１】
被包装物の下方に配置される底面部と、この底面部と対向配置される上面部と、前記底面部及び上面部の外周縁を囲むように配置される側面部とを有する包装容器であって、
前記底面部と上面部との間に設けられ、前記被包装物を支持する支持部が形成された内面部を有し、
前記支持部は、外形寸法が異なり外形寸法が大きなものが外形寸法が小さなものを取り巻くように外形寸法の順に配置される複数の環状線に沿って前記内面部に切り込み部を形成することにより構成され、
前記被包装物の周囲を取り囲む複数のリングと、前記複数のリングのうち最も内側のリングに接続され、前記被包装物を支持する支持面とを有し、
前記各環状線上には、複数の非切り込み部があり、
隣接する前記環状線上における非切り込み部同士は、互いに所定角度ずれた位置に配置されていることを特徴とする包装容器。
【請求項２】
請求項１に記載の包装容器において、
前記各環状線上には、２つの非切り込み部があり、
隣接する前記環状線上における非切り込み部同士は、互いに略９０°ずれた位置に配置されていることを特徴とする包装容器。
【請求項３】
請求項１又は２に記載の包装容器において、
前記内面部は、前記上面部に隣接するとともに、上面部に沿って配置されたものであり、
前記支持面により、被包装物を支持した際に、前記支持面と、前記底面部との間に隙間が形成されることを特徴とする包装容器。
【請求項４】
請求項１又は２に記載の包装容器において、
前記内面部は、前記側面部で囲まれた空間を跨ぐか、底面部と略平行に配置されていることを特徴とする包装容器。
【請求項５】
請求項１から４の何れかに記載の包装容器において、
一枚のシートを組み立ててなるものであることを特徴とする包装容器。
【請求項６】
請求項１から５の何れかに記載の包装容器において、
前記複数の環状線は、同心状に配置されていることを特徴とする包装容器。
【発明の詳細な説明】
【技術分野】
【０００１】
本発明は、包装容器に関する。
【背景技術】
【０００２】
従来、口紅、香水等の被包装物を包装するプラスチック製の包装容器が知られている。
このような包装容器において、被包装物の転倒等を防止する為、包装容器中の被包装物のがたつきを防止することが求められている。
被包装物のがたつきを防止するために、包装容器の側面部により、被包装物を挟持し、被包装物を固定する方法が提案されている（例えば、特許文献１参照）。
【０００３】
【特許文献１】特開２００２−２６４９２９号公報（第２〜３頁、図１参照）
【発明の開示】
【発明が解決しようとする課題】
【０００４】
しかしながら、特許文献１のような包装容器では、包装容器の側面部で被包装物を挟持しているため、包装容器の側面部に加わった衝撃が、被包装物に伝わりやすい。そのため、被包装物が衝撃により損傷してしまう可能性がある。そこで、被包装物への衝撃の伝達を防止できる包装容器が求められている。
これに加え、近年、消費者の目を引くような意匠性の高い包装容器が求められている。
従来の包装容器においても、美観を向上させる工夫は種々なされているが、近年、さらに個性的、特徴的な装飾を施すことが望まれている。
【０００５】
本発明の目的は、被包装物への衝撃の伝達を防止でき、かつ、意匠性の高い包装容器を提供することである。
【課題を解決するための手段】
【０００６】
本発明の包装容器は、被包装物の下方に配置される底面部と、この底面部と対向配置される上面部と、前記底面部及び上面部の外周縁を囲むように配置される側面部とを有する包装容器であって、前記底面部と上面部との間に設けられ、前記被包装物を支持する支持部が形成された内面部を有し、前記支持部は、外形寸法が異なり外形寸法が大きなものが外形寸法が小さなものを取り巻くように外形寸法の順に配置される複数の環状線に沿って前記内面部に切り込み部を形成することにより構成され、前記被包装物の周囲を取り囲む複数のリングと、前記複数のリングのうち最も内側のリングに接続され、前記被包装物を支持する支持面とを有し、前記各環状線上には、複数の非切り込み部があり、隣接する前記環状線上における非切り込み部同士は、互いに所定角度ずれた位置に配置されていることを特徴とする。
【０００７】
ここで、内面部は、底面部と上面部との間に配置されていればよく、例えば、包装容器の上面部に沿って配置されていてもよく、底面部に沿って配置されていてもよい。また、底面部と上面部との間の略中間位置に側面部で形成された空間を跨ぐように配置されていてもよい。さらに、内面部を複数設け、上面部及び底面部の双方に沿って配置してもよい。
また、支持部の支持面は、被包装物の上端面に当接し、包装容器の底面部とともに、被包装物を挟持して支持するものであってもよく、また、被包装物の下端面に当接し、被包装物の荷重を受けて支持するものであってもよい。
さらに、前記環状線は、外形寸法が大きなものが外形寸法が小さなものを取り巻くように外形寸法の順に配置されていればよい。複数の環状線は、同心状に配置されていてもよく、複数の環状線の中心が異なるように配置されていても良い。
例えば、被包装物が非軸対称形状である場合には、複数の環状線の中心をそろえない方が好ましいことがある。また、被包装物が軸対称形状である場合には、環状線の中心を揃え、同心状に配置することが好ましいことが多い。
【０００８】
さらに、本発明では、内面部には、外形寸法が大きなものが外形寸法が小さなものを取り巻くように外形寸法の順に配置される複数の環状線に沿って、切り込み部が形成されている。また、各環状線上には、複数の非切り込み部がある。従って、この切り込み部により形成されるリングのうち、隣接するリング同士は、非切り込み部により接続されることとなる。被包装物を収納する際には、切り込み部から隣接するリング同士を離し、広げることで、リングにより被包装物の周囲が取り囲まれることとなる。
【０００９】
このような本発明によれば、底面部と上面部との間に配置される内面部に、支持部が形成されている。そして、支持部のリングにより被包装物の周囲が取り囲まれるとともに、支持部の支持面で被包装物が支持されている。従って、従来のように、包装容器の側面部で被包装物を収納する構造ではないため、側面部に加わった衝撃が、被包装物に伝達されてしまうことがない。これにより、被包装物の損傷を防止することができる。
また、支持部は、被包装物の周囲を取り囲む複数のリングを有しているため、このリングにより、被包装物が包装容器内部で移動してしまうことを規制することができる。
さらに、内面部に被包装物を支持する支持部が形成されており、支持部のリングにより被包装物の周囲が取り囲まれるとともに、支持部の支持面で被包装物が支持されている。
そのため、被包装物は内面部を貫通するように配置されることとなる。このように内面部を貫通して、被包装物が配置されるため、包装容器に強い衝撃が加わっても、被包装物が完全に倒れてしまうことがなく、被包装物を安定的に収容することができる。
【００１０】
さらに、本発明では、切り込み部は、環状線に沿って形成されており、かつ、環状線上には非切り込み部が残されている。そして、隣接する環状線上における非切り込み部同士は、互いに所定角度ずれた位置に配置されている。このように、隣接する環状線上における非切り込み部同士を、互いに所定角度ずれた位置に配置することで、切り込み部に沿って、隣接するリング同士を離し、広げた際に、非切り込み部及びリングによって、網目状の大きな隙間が形成されることとなる。
これにより、消費者は、前記隙間から、被包装物を容易に確認することができる。
【００１１】
また、支持部は、被包装物の周囲を取り囲む複数のリングを備えたものであり、従来にはない個性的、特徴的な形状であるため、包装容器は、高い意匠性を有するものとなっている。
さらに、前述したように、本発明では、切り込み部は、複数の環状線に沿って形成されており、かつ、環状線上には非切り込み部が残されている。従って、本発明の支持部は、非切り込み部で互いに接続された複数のリングを有している。このような互いに隣接するリング同士を離すことで、非切り込み部及びリングにより、網目状の隙間が形成され、支持部を立体的に広げることができる。また、広げたリングを互いに近づけることで、複数のリングを同一平面状に配置して支持部をたたむことができる。
【００１２】
本発明では、前記各環状線上には、２つの非切り込み部があり、隣接する前記環状線上における非切り込み部同士は、互いに略９０°ずれた位置に配置されていることが好ましい。
【００１３】
このような本発明では、隣接する環状線上における非切り込み部同士は、互いに略９０°ずれた位置に配置されている。そのため、リング同士を離して、広げた際に形成される非切り込み部及びリングによる網目状の隙間をより一層大きく確保することができる。従って、前記隙間から被包装物を容易に確認することができる。
また、非切り込み部及びリングによる網目状の隙間を大きく確保することができるので、より大きな被包装物の周囲を取り囲むことが可能となり、より大きな被包装物を包装することができる。
【００１４】
さらに、本発明では、前記内面部は、前記上面部に隣接するとともに、上面部に沿って配置されたものであり、前記支持面により、被包装物を支持した際に、前記支持面と、前記底面部との間に隙間が形成されることが好ましい。
このような本発明によれば、支持部の支持面は上面部に沿って配置されており、支持面により、被包装物を支持した際に、支持面と、底面部との間に隙間が形成されるため、被包装物は、包装容器の底面部から浮いた状態となる。これにより、より一層、消費者の目を引くこととなり、意匠性により一層優れた包装容器となる。
また、本発明は、前記内面部が、前記側面部で囲まれた空間を跨ぐか、底面部と略平行に配置されているものであってもよい。
【００１５】
さらに、本発明は、一枚のシートを組み立ててなるものであることが好ましい。
本発明の包装容器は、一枚のシートから構成されているため、複数の部材から包装容器を構成する場合に比べ、部材点数の削減を図ることができるとともに、包装容器の組み立てにかかる手間を省くことができる。また、包装容器を展開し、一枚のシートとすることができるので、搬送を容易に行なうことができる。また、包装容器を保管する際にも、展開した状態で保管すれば、大きな場所を必要としない。
なお、前述したように、支持部は、立体的に広げたり、平面状にたたんだりすることができるので、例えば、被包装物を取り出した後段や、被包装物を包装容器に収納する前段において、包装容器を展開し、包装容器を一枚のシートとすることが可能なのである。
【００１６】
また、本発明では、前記複数の環状線は、同心状に配置されていることが好ましい。
このような本発明では、複数の環状線が同心状に配置されているので、支持部のリングは、同心状に配置されることとなる。同心状の複数のリングにより、軸対称形状の被包装物をバランスよく覆うことができる。
【発明を実施するための最良の形態】
【００１７】
[１．第一実施形態]
以下、本発明の実施形態を図面に基づいて説明する。
図１は、本実施形態の包装容器１を示す斜視図であり、図２は、前記包装容器１の一部を展開させた状態を示す斜視図である。また、図３は、包装容器１の展開図であり、図４は、包装容器１の展開図の要部である。さらに、図５は、包装容器１の底面図であり、図６は、包装容器１の背面図である。また、図７は、右側面図であり、図８は、前記包装容器１の正面図である。また、図９は、前記包装容器１の平面図であり、図１０は、包装容器１の左側面図である。
【００１８】
包装容器１は、図１及び図２に示すように、直方体形状の容器であり、図３に示すような略Ｌ字型の一枚のシート３を組み立てて構成されるものである。
シート３は、シート３の原反をプレス等で裁断することにより得られるものである。
ここで、シート３の材質としては、例えば、ポリエチレン、ポリプロピレン等のポリオレフィン系樹脂、ポリスチレン系樹脂、ポリエチレンテレフタレート等のポリエステル系樹脂、紙等が例示できる。
包装容器１は、底面部１１と、この底面部１１に対向配置される上面部１２と、底面部１１及び上面部１２の周縁に沿って立設された４枚の側面部１３〜１６と、内面部１７とを有する。包装容器１の内部に収容された被包装物Ｓを消費者が容易に確認できるように、底面部１１、上面部１２、側面部１３〜１６が、透明又は半透明であることが好ましい。
【００１９】
図３の展開図に示すように、これらの各面部は、Ｌ字型形状に沿って、底面部１１、内面部１７、側面部１３、側面部１４、側面部１５、側面部１６の順に配置されている。
また、側面部１５の一端に上面部１２が接続されている。
図１〜５を参照して、底面部１１及び内面部１７について説明する。
底面部１１は、例えば、６７．５ｍｍ×６７ｍｍの略正方形状となっている。この底面部１１の内面部１７が接続された端部と対向する端部には、片１９が接続されている（図３参照）。片１９は、平面矩形形状の矩形面部１９１と、この矩形面部１９１から底面部１１と反対側に突出している楕円面部１９２とを有する。
矩形面部１９１は、例えば、２０ｍｍ×６７ｍｍとなっている。
楕円面部１９２は、包装容器１を組み立てた際に、側面部１３の孔１３１（後述）内に挿入される。
【００２０】
内面部１７は、平面矩形形状であり、例えば、８０ｍｍ×６７ｍｍとなっている。
この内面部１７は、上面部１２及び底面部１１との間に配置され、側面部１３〜１６で形成される空間を跨ぐように配置されている。また、内面部１７は、底面部１１の内側に、底面部１１に隣接し、底面部１１に沿って配置される。
本実施形態では、内面部１７は、底面部１１よりも面積が大きなものとなっているので、包装容器１を組み立てた際には、内面部１７が包装容器１内部で撓むこととなる。
内面部１７の中心部には、図４にも示すように、複数本（例えば、１２本）の切り込み部１７１が形成されている。この切り込み部１７１は、複数（例えば、６本）の同心円状の環状線１７０に沿って形成される。複数の環状線１７０は、径の大きな環状線が径の小さな環状線１７０を取り囲むように、径の順に配置されている。
この環状線１７０上の対向する２箇所には、切り込み部１７１が形成されておらず、非切り込み部１７３となっている。すなわち、各環状線１７０上には、２つの非切り込み部１７３が形成されており、各環状線１７０上に形成される２本の切り込み部１７１は、前記非切り込み部１７３を介して対向配置されている。
また、隣接する環状線１７０上の非切り込み部１７３は互いに略９０°ずれた位置に配置されている。
このような切り込み部１７１により、支持部１８が構成される。すなわち、内面部１７には、支持部１８が形成されている。
【００２１】
支持部１８は、包装容器１内に収納される被包装物Ｓを支持するものである。支持部１８は、無色透明や有色透明であってもよく、また、不透明に着色されていてもよい。支持部１８を着色する際には、印刷等の方法により着色することができる。
支持部１８は、同心円状の複数のリング１８１と、このリング１８１の中心に配置された支持面１８２とを備える。
支持部１８は、本実施形態では、５本のリング１８１（１８１Ａ〜１８１Ｅ）を備える。この複数のリング１８１は、被包装物Ｓを取り囲むものである。また、この複数のリング１８１は、隣接するリング１８１と２箇所の非切り込み部１７３で互いに接続されている。
【００２２】
ここで、前述したように、隣接する環状線１７０上の非切り込み部１７３は互いに略９０°ずれた位置に配置されている。従って、例えば、リング１８１Ｂ及びリング１８１Ｂの外側に配置されるリング１８１Ａを接続する非切り込み部１７３と、リング１８１Ｂ及びリング１８１Ｂの内側に配置されるリング１８１Ｃを接続する非切り込み部１７３とは、略９０°ずれた位置に配置されている。
【００２３】
支持面１８２は、複数のリング１８１のうち、最も内側に配置されたリング１８１Ｅに接続されている。支持面１８２は平面円形形状であり、被包装物Ｓの上面を押さえ、被包装物Ｓを底面部１１とともに、支持固定する。すなわち、被包装物Ｓは、支持面１８２と底面部１１とで挟持されることとなる。なお、支持面１８２には、複数のリング１８１により、底面部１１側に向かった力（弾性力）が加わる。
支持面１８２の大きさ形状は、被包装物Ｓの上端面の大きさ形状と略等しいことが好ましい。また、支持部１８の切り込み部１７１を広げ、隣接するリング１８１を最大限に引き離した場合には、支持面１８２の底面部１１からの高さ寸法は、被包装物Ｓの高さ寸法よりも高い。
また、支持部１８の切り込み部１７１を広げ、隣接するリング１８１を離した場合には、図１及び図２に示すように、リング１８１及び非切り込み部１７３により、網目状の隙間が形成される。
【００２４】
図１〜３及び図６を参照して側面部１３について説明する。
側面部１３は、包装容器１の背面を構成するものであり、平面略矩形形状となっている。
側面部１３の大きさは、例えば、９８ｍｍ×６７ｍｍである。この側面部１３の中央よりも内面部１７側によった部分に、孔１３１が形成されている。この孔１３１には、片１９の楕円面部１９２が挿入される。
【００２５】
次に、図１〜３及び図７を参照して側面部１４について説明し、さらに、図１〜３及び図８を参照して側面部１５について説明する。
側面部１４も平面略矩形形状であり、側面部１３と同じ大きさ形状である。
側面部１４の長手方向の両端部（側面部１３と隣接する端部と略直交する端部）には、一対の片２０Ａ，２０Ｂが形成されている（図３参照）。
この一対の片２０Ａ，２０Ｂの大きさは、例えば、１５ｍｍ×６７ｍｍである。
側面部１５も、平面矩形形状であり、前記側面部１３，１４と同じ大きさ形状である。この側面部１５は、包装容器１の前面を構成するものである。
この側面部１５の長手方向に沿った端部には、上面部１２が接続されている。
【００２６】
また、図１〜３及び図９を参照して上面部１２について、図１〜３及び図１０を参照して側面部１６について説明する。
上面部１２は包装容器１の蓋としての役割を果たすものである。この上面部１２は平面略正方形形状であり、例えば、６７ｍｍ×６７ｍｍである。この上面部１２の前記側面部１５側の端部と反対側の端部には、片２１が形成されている。この片２１は平面矩形形状であり、例えば、１５ｍｍ×６７ｍｍである。
【００２７】
側面部１６は、平面矩形形状であり、他の側面部１３〜１５と同様の大きさ形状である。さらに、この側面部１６の３つの端部には、それぞれ、片２２Ａ，２２Ｂ，２３が設けられている。
片２２Ａ，２２Ｂは、側面部１６の長手方向の一対の端部（側面部１５側の端部と直交する一対の端部）に設けられている。
片２３は、側面部１６の側面部１５側の端部と対向する端部に設けられている。この片２３は、片２３は、のり代となる部分であり、側面部１３に接着される。
【００２８】
以上のような包装容器１において、各面部間の境界部分、各面部と片との境界部分には折曲用の罫線が引かれている。具体的には、図３に示すように、底面部１１と片１９との境界部分には、折曲用の罫線１０Ａが引かれており、内面部１７と底面部１１との境界部分にも、罫線１０Ｂが引かれている。側面部１３と内面部１７との境界部分にも、罫線１０Ｃが引かれており、側面部１４と、側面部１３との境界部分にも罫線１０Ｄが引かれている。さらに、各片２０Ａ，２０Ｂと、側面部１４との境界部分には、それぞれ罫線１０Ｅ，１０Ｆが引かれている。また、側面部１５と側面部１４との境界部分には、折曲用の罫線１０Ｇが引かれており、側面部１５と上面部１２との境界部分にも折曲用の罫線１０Ｈが引かれている。片２１と上面部１２との境界部分にも、折曲用の罫線１０Ｉが引かれており、側面部１６と、側面部１５との境界部分には、折曲用の罫線１０Ｊが引かれている。さらに、各片２２Ａ，２２Ｂ，２３と、側面部１６との境界部分には、折曲用の罫線１０Ｋ〜１０Ｍが引かれている。
このような包装容器１の罫線１０Ａ〜１０Ｋ、及び内面部１７に形成された切り込み部１７１は、切り込み刃等をシート３に押圧することにより、形成することができる。
【００２９】
次に、このような包装容器１の組み立て方法について説明する。
まず、シート３の罫線１０Ａ，１０Ｂを谷折りにし、罫線１０Ｃ，１０Ｄ，１０Ｇ，１０Ｊ，１０Ｌを山折りにする。
次に、片２２Ｂの表面に接着剤を塗布し、側面部１３の内面と、片２２Ｂとを重ね合わせ、接着する。
その後、罫線１０Ｋ，１０Ｅを山折りにし、さらに、罫線１０Ｈ，１０Ｉを山折りにして、片２０Ｂ及び片２２Ｂの上方に上面部１２を被せ、片２１を、側面部１３と片２０Ｂ，２２Ｂとの間の隙間に挿入する。
【００３０】
次いで、内面部１７の支持部１８の下方から、被包装物Ｓを挿入する。これにより、支持面１８２が被包装物Ｓにより、上面部１２側に押され、支持部１８のリング１８１が広がることとなる。なお、このとき、被包装物Ｓの挿入方向先端面（被包装物Ｓの上端面）に両面テープを貼り付けたり、接着剤等を塗布したりして、被包装物Ｓの先端面と支持面１８２とを固着してもよい。このように固着することで、被包装物Ｓが支持面１８２と、底面部１１とで確実に挟持されることとなり、被包装物Ｓの転倒等を防止できる。
その後、罫線１０Ｆ，１０Ｍを山折りにして、片２０Ａ，２２Ａを内面部１７の外側に配置する。さらに、片１９の楕円面部１９２を側面部１３の孔１３１内に挿入する。
以上により、包装容器１の組み立てが完成するとともに、被包装物Ｓの収納が終了する。
【００３１】
従って、本実施形態によれば、以下の効果を奏することができる。
（1-1）本実施形態の包装容器１では、底面部１１に沿って配置される内面部１７に支持部１８が形成されている。そして、支持部１８のリング１８１により、被包装物Ｓの周囲が取り囲まれ、支持面１８２により被包装物Ｓが支持されている。
従って、従来のように、包装容器の側面部で被包装物Ｓを収納する構造ではないため、側面部に加わった衝撃が、被包装物Ｓに伝達されてしまうことがない。これにより、被包装物Ｓの損傷を防止することができる。
（1-2）また、本実施形態では、支持部１８の複数のリング１８１により、被包装物Ｓの周囲を取り囲んでいるため、包装容器１内部での被包装物Ｓの移動を規制することができる。
さらに、被包装物Ｓを包装容器１内に収容する際には、支持面１８２を被包装物Ｓにより押し、支持部１８のリング１８１を広げている。そして、被包装物Ｓは内面部１７を貫通するように配置されることとなる。このように内面部１７を貫通するように被包装物Ｓが配置されるため、包装容器１に強い衝撃が加わっても、被包装物Ｓが完全に倒れてしまうことがなく、被包装物Ｓを安定的に収容することができる。
【００３２】
（1-3）さらに、本実施形態では、内面部１７に、同心円状の環状線１７０に沿って切り込み部１７１を形成している。また、前記環状線１７０上の対向する２箇所には、切り込み部１７１が形成されておらず、非切り込み部１７３となっている。
支持部１８の隣接するリング１８１は、非切り込み部１７３で接続されることとなるので、リング１８１を広げた際には、リング１８１及び非切り込み部１７３により、網目状の隙間が形成される。
従って、支持部１８のリング１８１が被包装物Ｓの周囲を取り囲んでも、網目状の隙間から被包装物Ｓが露出するため、包装容器１の外側から、被包装物Ｓの外観が見えにくくなってしまうことがない。そのため、消費者は、包装容器１中の被包装物Ｓを容易に確認することができる。
特に、本実施形態では、各切り込み部１７１を、同心の各環状線１７０上に沿って形成するとともに、各環状線１７０上には、２箇所の非切り込み部１７３を残している。そして、隣接する環状線１７０上における非切り込み部１７３同士は、互いに略９０°ずれた位置に配置されている。そのため、リング１８１同士を離して、広げた際に形成される非切り込み部１７３及びリング１８１による網目状の隙間の幅をより一層大きく確保することができる。従って、前記隙間から被包装物Ｓをより一層容易に確認することができる。
また、非切り込み部１７３及びリング１８１による網目状の隙間を大きく確保することができるので、より大きな被包装物Ｓの周囲を取り囲むことが可能となり、より大きな被包装物Ｓを包装することができる。
【００３３】
（1-4）さらに、支持部１８は、被包装物Ｓの周囲を取り囲むリング１８１を備え、リング１８１及び非切り込み部１７３により、網目状の隙間が形成されたものであり、従来にはない個性的、特徴的な形状であるため、包装容器１は、高い意匠性を有するものとなっている。
【００３４】
（1-5）本実施形態の支持部１８は、内面部１７に、同心の複数の環状線１７０に沿って切り込み部１７１を形成することにより構成された同心のリング１８１を有する。従って、切り込み部１７１を広げて、支持部１８の複数のリング１８１同士を離すことで、支持部１８を立体的に広げることができる。また、複数のリング１８１を近づけて、同一平面状に配置してたたむこともできる。このように、支持部１８を立体的に広げたり、平面状にたたんだりすることができるので、例えば、被包装物Ｓを取り出した後段で、包装容器１を展開し、包装容器１を一枚のシート３とすることができる。また、被包装物Ｓを包装容器１に収納する前段において、包装容器１を展開した状態とし、一枚のシート３とすることができる。このように包装容器１を展開し、一枚のシート３とすることができるので、搬送を容易に行なうことができる。また、包装容器１を保管する際にも、展開した状態で保管すれば、大きな場所を必要としない。
（1-6）さらに、包装容器１は、支持部１８を含めて一枚のシート３から構成されるため、包装容器を複数の部材で構成する場合に比べ、部材点数の削減を図ることができるとともに、包装容器１の組み立てにかかる手間を省くことができる。
【００３５】
（1-7）さらに、本実施形態では、側面部１３に孔１３１を形成し、底面部１１に接続された片１９の先端の楕円面部１９２を挿入している。これにより、底面部１１が開いてしまうことを確実に防止できる。
また、側面部１３は、包装容器１の背面を構成するものであるため、孔１３１を形成しても、孔１３１が目立たない。従って、包装容器１の外観を良好なものとすることができる。
（1-8）さらに、本実施形態では、底面部１１と略平行に配置される内面部１７を、底面部１１よりも、大きな面積とし、包装容器１を組み立てた際に、内面部１７を包装容器１内側で上面部１２に向かって撓ませている。内面部１７には、支持部１８が形成されるため、内面部１７を包装容器１内側で上面部１２に向かって撓ませることで、底面部１１から支持部１８の支持面１８２までの高さを高く確保することができる。これにより、支持部１８内部により大きな被包装物Ｓを収容することが可能となる。
【００３６】
[２．第二実施形態]
図１１を参照して、本発明の第二実施形態について説明する。以下の説明では、既に説明した部分と同一の部分については、同一符号を付して、その説明を省略する。
前記実施形態では、内面部１７は、底面部１１に沿って配置されており、内面部１７に形成された支持部１８は、被包装物Ｓをその上端面から押さえる構造であった。これに対し、本実施形態の包装容器４は、内面部１７が上面部４２に隣接し、上面部４２に沿って設けられている。
すなわち、本実施形態の包装容器４は、前記実施形態の包装容器１の上下をさかさまにしたものであり、前記実施形態の包装容器１の底面部１１が、本実施形態の包装容器４の上面部４２に該当し、前記実施形態の包装容器１の上面部１２が、本実施形態の包装容器４の底面部４１に該当する。
また、本実施形態の支持部１８の支持面１８２は、被包装物Ｓの下端面の大きさ形状に合わせたものとなっている。
なお、他の構成は、前記実施形態と同様である。
【００３７】
このような包装容器４においては、前記実施形態の包装容器１と同様の方法で、包装容器４を組み立てるが、被包装物Ｓの下端面を支持面１８２に当接させて、被包装物Ｓを包装容器４内に収納する点が異なっている。
包装容器４内に収容された被包装物Ｓは、支持面１８２に支持されるとともに、複数のリング１８１により、内面部１７から吊り下げられたような形となる。
ここで、被包装物Ｓの上端面は、包装容器４の上面部４２と接触していてもよく、また、上面部４２から離れていてもよい。
また、支持面１８２上に被包装物Ｓを設置した際、支持面１８２と包装容器４の底面部４１との間には隙間が形成される。
【００３８】
このような本実施形態によれば、第一実施形態の（1-1）〜（1-8）の効果と同様の効果を奏することができるとともに、以下の効果を奏することができる。
（2-1）支持部１８の支持面１８２により、被包装物Ｓを支持した際に、支持面１８２と、底面部４１との間に隙間が形成されるため、被包装物Ｓは、包装容器４の底面部４１から浮いた状態となる。包装容器４の透明性が高い場合には、被包装物Ｓが宙に浮いているように見えるため、より一層、消費者の目を引くこととなり、意匠性に優れた包装容器４となる。
【００３９】
なお、本発明は前述の実施形態に限定されるものではなく、本発明の目的を達成できる範囲での変形、改良等は本発明に含まれるものである。
例えば、第一実施形態では、包装容器１の底面部１１に沿って内面部１７を設け、第二実施形態では、上面部４２に沿って内面部１７を設けたが、上面部及び底面部との間の中間部分に、上面部及び底面部に平行な一対の内面部を有するものとしてもよい。例えば、図１２及び図１３に示す包装容器５のように、一対の内面部５７Ａ，５７Ｂを有するものとし、この内面部５７Ａ，５７Ｂにそれぞれ支持部１８を形成する。なお、図１２は、包装容器５の斜視図であり、図１３は、包装容器５の断面図である。
【００４０】
この容器５は、第一実施形態と同様の底面部１１、側面部５３、側面部１４、側面部１５、側面部１６とを備えている。側面部５３には、前記各実施形態の側面部１３の孔１３１と同様の孔５３１が２つ形成されている。
底面部１１と側面部５３との間には、底面部１１に対し略垂直に配置された立上面部５２、底面部１１に対し略水平に設置された内面部５７Ａ、底面部１１に対し略垂直に配置された立上面部５１が設けられている。そして立上面部５１には、片１９が接続されている。
また、側面部５３の上端側に連続して、立上面部５４、内面部５７Ｂ、立上面部５５、上面部１２、片５６が設けられている。
片５６は、片１９と同様の形状であり、平面矩形形状の矩形面部５６１と、平面楕円形状の楕円面部５６２とを備える。
このような包装容器５では、被包装物Ｓを収納した際に、一対の支持部１８の支持面１８２は、上面部１２及び底面部１１に接触しないようになっている。従って、被包装物Ｓは、包装容器５中で、浮いた状態となり、意匠性に優れたものとなる。
また、支持部１８の支持面１８２で被包装物Ｓの上端面及び下端面を挟持することとなるので、被包装物Ｓを安定的に保持することができる。
【００４１】
さらに、前記各実施形態では、内面部１７に同心円状の複数の環状線１７０に沿って、切り込み部１７１を形成し、支持部１８は同心円状の複数のリング１８１を備える構成としたが、これに限らず、例えば、同心の三角形状や、矩形形状の環状線に沿って切り込み部を形成してもよい。また、楕円状の環状線に沿って切り込み部を形成してもよい。切り込み部の形状は被包装物Ｓの外形形状を考慮して任意に設定することができる。
また、前記実施形態では、支持部１８の各リング１８１は、２箇所で接続されており、例えば、リング１８１Ｂ及びリング１８１Ｂの外側に配置されるリング１８１Ａの非切り込み部１７３と、リング１８１Ｂ及びリング１８１Ｂの内側に配置されるリング１８１Ｃの非切り込み部１７３とは略９０°ずれた位置に配置されているとしたが、非切り込み部１７３同士がずれる角度は、９０°には限られない。
【００４２】
さらに、前記各実施形態では、環状線１７０上に２箇所の非切り込み部１７３を形成し、支持部１８の各リング１８１は、２箇所で接続されているとしたが、これに限らず、３箇所以上で接続されていてもよい。例えば、図１４及び図１５に示されるシート６で構成される包装容器のように、４箇所の非切り込み部１７３で接続されるような構成としてもよい。すなわち、この包装容器では、矩形形状の同心状の環状線（図示略）上にそれぞれ４本の切り込み部６７１を形成するとともに、４箇所の非切り込み部１７３を形成する。なお、ここでは、環状線を矩形形状としているので、支持部７８のリング７８１は矩形形状となる。また、支持面７８２は平面矩形形状となる。
このように、環状線上に４箇所の非切り込み部１７３を形成し、リング７８１同士を４箇所で接続した場合には、２箇所で接続する場合に比べ、各リング７８１同士の接続が強固になり、支持部７８の強度を高めることが可能となる。
さらに、前記各実施形態では、複数の環状線１７０は同心となっていたが、これに限らず、複数の環状線の中心の位置が一致せず、異なる場所にあってもよい。例えば、被包装物が非軸対称形状である場合には、環状線の中心を異なる位置に配置したほうが、バランスよく、被包装物を支持することができる場合がある。
【００４３】
さらに、第一実施形態では、内面部１７の面積は、底面部１１よりも大きく、被包装物Ｓを収納した際に、内面部１７は湾曲していたが、このような構造に限らず、内面部１７の大きさ形状を底面部１１と等しくしてもよい。
また、図１６の包装容器８のように、内面部１７の両端部に立上部８１，８２を設け、内面部１７を底面部１１から浮かせてもよい。内面部１７は、側面部で形成された空間を跨ぎ、底面部１１と略平行となっている。
このようにすることで、支持部１８のリング１８１を広げ、被包装物Ｓを取り囲んだ際に、支持部１８のリング１８１及び非切り込み部１７３により形成される隙間の幅寸法を小さくすることが可能となる。
なお、この包装容器８は、図１７に示すような、一枚のシート３’から構成される。このシート３’では、内面部１７を挟むように立上部８１，８２が設けられている。すなわち、立上部８２が側面部１３と内面部１７との間に配置され、立上部８２が内面部１７と、底面部１１との間に配置されている。
さらに、包装容器８の内面部１７を、側面部で形成された空間を跨ぎ、底面部１１に対して湾曲するように配置してもよい。
また、この図１６の包装容器８の内面部１７の下面に、底面部１１と略平行な仕切り部材を設置し、この仕切り部材に被包装物Ｓの径と略等しい孔を形成し、この孔に被包装物Ｓを挿入しても良い。このようにすることで、被包装物Ｓをより安定的に固定することができる。
【００４４】
さらに、第一実施形態では、支持部１８の支持面１８２と、底面部１１とで、被包装物Ｓを上下方向から挟持していたが、これに限らず、例えば、被包装物を左右方向からも挟持する構成としてもよい。
例えば、図１８の包装容器９に示すように、底面部１１上に配置される片２２Ａ’を屈曲し、直方体形状の被包装物Ｓ’を挟持する構成としてもよい。
図１９のシート３’’のように、片２２Ａ’に被包装物Ｓ’の幅寸法に合わせて４本の罫線を有する罫線群１０Ｓ（罫線１０Ｎ，１０Ｐ，１０Ｑ，１０Ｒ），１０Ｚ（罫線１０Ｔ，１０Ｕ，１０Ｖ，１０Ｗ）を対向配置させ、上面部１２側に突出するように、各罫線を折り曲げる。すると、図１８のように、直方体の一対の挟持部材２２Ａ１，２２Ａ２が形成され、被包装物Ｓ’を挟持することとなる。
このように、一対の挟持部材２２Ａ１，２２Ａ１を形成することで、被包装物Ｓ’をより安定的に固定することができる。
なお、図１８では、片２２Ａ’に罫線を形成することで、挟持部材２２Ａ１，２２Ａ２を形成したが、これに限らず、例えば、第一実施形態の底面部１１上に、包装容器１とは別工程で製造した挟持部材２２Ａ１，２２Ａ２が形成された台座を設置してもよい。
さらに、第一実施形態の底面部１１に、前述した罫線群１０Ｓ，１０Ｚを形成し、底面部１１に挟持部材２２Ａ１，２２Ａ２を形成してもよい。この場合には、片２２Ａの側面部１６からの突出寸法及び片２０Ａの側面部１４からの突出寸法を短くし、底面部に形成された挟持部材２２Ａ１，２２Ａ２と重ならないようにすることが好ましい。
【００４５】
さらに、第一実施形態では、支持部１８のリング７８１の弾性力を利用し、支持面１８２と底面部１１とで被包装物Ｓを挟持することで、被包装物Ｓを支持固定していたが、これに限らず、例えば、支持面１８２の上面側と、上面部１２の内面との間に弾性体や、発泡シート等を設置し、より強固に支持面１８２と底面部１１とで被包装物Ｓを挟持してもよい。
また、前記各実施形態では、包装容器は直方体形状であったが、これに限らず、包装容器の形状は任意である。例えば、三角柱形状、六角柱形状等であってもよい。
さらに、前記各実施形態では、包装容器１，４は、一枚のシート３から構成されているとしたが、これに限らず、一枚のシートから構成されていなくてもよい。
【産業上の利用可能性】
【００４６】
本発明は、化粧品等の被包装物を収納するための包装容器に利用することができる。
【図面の簡単な説明】
【００４７】
【図１】本発明の第一実施形態にかかる包装容器を示す斜視図である。
【図２】前記包装容器の一部を展開させた斜視図である。
【図３】前記包装容器の展開図である。
【図４】図３の展開図の要部を示す図である。
【図５】前記包装容器の底面図である。
【図６】前記包装容器の背面図である。
【図７】前記包装容器の左側面図である。
【図８】前記包装容器の正面図である。
【図９】前記包装容器の平面図である。
【図１０】前記包装容器の右側面図である。
【図１１】本発明の第二実施形態にかかる包装容器を示す斜視図である。
【図１２】本発明の変形例の包装容器を示す斜視図である。
【図１３】前記変形例における包装容器の断面図である。
【図１４】本発明の他の変形例における包装容器の展開図である。
【図１５】図１３の展開図の要部を示す図である。
【図１６】本発明の他の変形例における包装容器を示す斜視図である。
【図１７】図１６に示した包装容器の展開図である。
【図１８】本発明の他の変形例における包装容器を示す斜視図である。
【図１９】図１８に示した包装容器の展開図である。
【符号の説明】
【００４８】
１     包装容器
３     シート
３’   シート
３’’ シート
６     シート
４     包装容器
５     包装容器
８     包装容器
９     包装容器
１１   底面部
１２   上面部
１３   側面部
１４   側面部
１５   側面部
１６   側面部
１７   内面部
１８   支持部
４１   底面部
４２   上面部
５３   側面部
５７Ａ 内面部
５７Ｂ 内面部
６７   内面部
７８   支持部
１７１ 切り込み部
１７３ 非切り込み部
１８１ リング
１８２ 支持面
６７１ 切り込み部
７８１ リング
７８２ 支持面
Ｓ     被包装物
Ｓ’   被包装物
【図１】
2006069628.tif 000003
【図２】
2006069628.tif 000004
【図３】
2006069628.tif 000005
【図４】
2006069628.tif 000006
【図５】
2006069628.tif 000007
【図６】
2006069628.tif 000008
【図７】
2006069628.tif 000009
【図８】
2006069628.tif 000010
【図９】
2006069628.tif 000011
【図１０】
2006069628.tif 000012
【図１１】
2006069628.tif 000013
【図１２】
2006069628.tif 000014
【図１３】
2006069628.tif 000015
【図１４】
2006069628.tif 000016
【図１５】
2006069628.tif 000017
【図１６】
2006069628.tif 000018
【図１７】
2006069628.tif 000019
【図１８】
2006069628.tif 000020
【図１９】
2006069628.tif 000021